(57)【特許請求の範囲】
【請求項１】
車両に搭載され、前記車両の走行中のデータを複数の記録媒体に記録可能なドライブレコーダであるデータ記録装置であって、
前記車両の加速度が閾値を超える毎に第１の記録媒体に前記車両の走行中のデータを書き込む第１書込部と、
一定時間が経過する毎に第２の記録媒体に前記車両の走行中のデータを書き込む第２書込部と、
前記第２の記録媒体の書き込み回数が制限回数に達したか否かを判定する制限回数判定部と、
を備え、
前記第２書込部は、前記一定時間が経過した場合において前記第２の記録媒体の書き込み回数が前記制限回数に達しているときには、前記車両の走行中のデータを前記第２の記録媒体に代えて前記第１の記録媒体に書き込むことを特徴とするデータ記録装置。
【請求項２】
前記制限回数判定部は、前記第１の記録媒体の書き込み回数が第２制限回数に達したか否かを判定し、
前記第１書込部は、前記車両の加速度が前記閾値を超えた場合において前記第１の記録媒体の書き込み回数が前記第２制限回数に達しているときには、前記車両の走行中のデータを前記第１の記録媒体に代えて前記第２の記録媒体に書き込むことを特徴とする請求項１記載のデータ記録装置。
【請求項３】
前記第２の記録媒体の書き込み回数が前記制限回数に達し、かつ、前記第１の記録媒体の書き込み回数が前記第２制限回数に達している場合、前記第２書込部および前記第１書込部によるデータの書き込み動作を停止することを特徴とする請求項２記載のデータ記録装置。
【請求項４】
前記第２書込部は、前記第２の記録媒体の書き込み回数が前記制限回数に達し、かつ、前記第１の記録媒体の書き込み回数が所定値未満である場合に限って、前記車両の走行中のデータを前記第２の記録媒体に代えて前記第１の記録媒体に書き込むことを特徴とする請求項１記載のデータ記録装置。
【請求項５】
前記第２書込部は、前記車両の走行中のデータを前記第２の記録媒体に代えて前記第１の記録媒体に書き込む際、前記第１の記録媒体の、前記第１書込部によって前記車両の走行中のデータが書き込まれる記憶領域とは区別された記憶領域に前記車両の走行中のデータを書き込むことを特徴とする請求項１記載のデータ記録装置。
【発明の詳細な説明】
【技術分野】
【０００１】
本発明は、複数の記録媒体にデータを記録可能なデータ記録装置に関する。
【背景技術】
【０００２】
従来、メモリカード等の記録媒体に画像データや運転データを記録するドライブレコーダが知られている。
【０００３】
この種の先行技術として、トリガ記録と常時記録のダブル記録を実現するドライブレコーダがある（非特許文献１参照）。
【０００４】
また、トリガ記録・常時録画両方の記録（ハイブリッド記録）を行うものがある（非特許文献２参照）。このハイブリッド記録では、トリガ記録時のデータおよび常時録画時のデータがメモリカードに記録される。
【０００５】
このように、従来では、１つの記録媒体に、間欠的な記録であるトリガ記録のデータと、定期的な記録である常時記録のデータとの２つのデータを記録することが行われた。
また、１つの記録媒体において高速記録領域と低速記録領域に切り替えてデータを記録するイベントレコーダがある（特許文献１）。
【先行技術文献】
【特許文献】
【０００６】
【特許文献１】特開２００６−６７１７２号公報
【非特許文献】
【０００７】
【非特許文献１】“ドライブレコーダー  ＹＡＺＡＣ−ｅｙｅ３”、［online］、矢崎総業株式会社の製品ページ、［平成２４年１月４日検索］、インターネット＜URL：http://www.yazaki-keiso.com/product/yazac_eye3.html＞
【非特許文献２】“ＰＬＥＸＴＯＲ  ＰＬＥＸＣＡＭ”、［online］、シナノケンシ株式会社の製品ページ、［平成２４年１月４日検索］、インターネット＜URL：http://plextor.jp/drive-recorder/product/feauture.php#hybrid＞
【発明の概要】
【発明が解決しようとする課題】
【０００８】
しかしながら、上記従来のデータ記録装置には、つぎのような問題があった。一般的に、記録媒体には書き込み回数制限があり、この制限回数に達する前に記録媒体を交換する必要があった。
【０００９】
トリガ記録用の記録媒体と常時記録用の記録媒体を使用した場合、通常、トリガ記録に比べて常時記録の方の書き込み回数が多い。このため、常時記録用の記録媒体が早く制限回数に達し、データが壊れる前に書き込み動作を停止させていた。この結果、記録時間が抑えられていた。
【００１０】
本発明は、上述した事情に鑑みてなされたものであり、その目的は、２つ以上の記録媒体に、書き込み頻度の異なるデータを記録する際、各記録媒体の制限回数上限まで書き込むことができ、効率的に記録時間を延ばせるデータ記録装置を提供することにある。
【課題を解決するための手段】
【００１１】
前述した目的を達成するために、本発明に係るデータ記録装置は、下記（１）〜（５）を特徴としている。
（１）  車両に搭載され、前記車両の走行中のデータを複数の記録媒体に記録可能なドライブレコーダであるデータ記録装置であって、
前記車両の加速度が閾値を超える毎に第１の記録媒体に前記車両の走行中のデータを書き込む第１書込部と、
一定時間が経過する毎に第２の記録媒体に前記車両の走行中のデータを書き込む第２書込部と、
前記第２の記録媒体の書き込み回数が制限回数に達したか否かを判定する制限回数判定部と、
を備え、
前記第２書込部は、前記一定時間が経過した場合において前記第２の記録媒体の書き込み回数が前記制限回数に達しているときには、前記車両の走行中のデータを前記第２の記録媒体に代えて前記第１の記録媒体に書き込むこと。
（２）  上記（１）の構成のデータ記録装置であって、
前記制限回数判定部は、前記第１の記録媒体の書き込み回数が第２制限回数に達したか否かを判定し、
前記第１書込部は、前記車両の加速度が前記閾値を超えた場合において前記第１の記録媒体の書き込み回数が前記第２制限回数に達しているときには、前記車両の走行中のデータを前記第１の記録媒体に代えて前記第２の記録媒体に書き込むこと。
（３）  上記（２）の構成のデータ記録装置であって、
前記第２の記録媒体の書き込み回数が前記制限回数に達し、かつ、前記第１の記録媒体の書き込み回数が前記第２制限回数に達している場合、前記第２書込部および前記第１書込部によるデータの書き込み動作を停止すること。
（４）  上記（１）の構成のデータ記録装置であって、
前記第２書込部は、前記第２の記録媒体の書き込み回数が前記制限回数に達し、かつ、前記第１の記録媒体の書き込み回数が所定値未満である場合に限って、前記車両の走行中のデータを前記第２の記録媒体に代えて前記第１の記録媒体に書き込むこと。
（５）  上記（１）の構成のデータ記録装置であって、
前記第２書込部は、前記車両の走行中のデータを前記第２の記録媒体に代えて前記第１の記録媒体に書き込む際、前記第１の記録媒体の、前記第１書込部によって前記車両の走行中のデータが書き込まれる記憶領域とは区別された記憶領域に前記車両の走行中のデータを書き込むこと。
【００１２】
上記（１）〜（５）の構成のデータ記録装置によれば、第２の記録媒体の書き込み回数が制限回数に達した場合、第２書込部によるデータの書き込み対象を、第２の記録媒体から、第１書込部によってデータが書き込まれる第１の記録媒体に切り替える。これにより、２つ以上の記録媒体に、書き込み頻度の異なるデータを記録する際、各記録媒体の制限回数上限まで書き込むことが可能となり、効率的に記録時間を延ばすことができる。
【発明の効果】
【００１３】
本発明によれば、第２の記録媒体の書き込み回数が制限回数に達した場合、第２書込部によるデータの書き込み対象を、第２の記録媒体から、第１書込部によってデータが書き込まれる第１の記録媒体に切り替える。これにより、２つ以上の記録媒体に、書き込み頻度の異なるデータを記録する際、各記録媒体の制限回数上限まで書き込むことが可能となり、効率的に記録時間を延ばすことができる。
【図面の簡単な説明】
【００１４】
【図１】図１は、実施形態におけるデータ記録装置であるドライブレコーダ１の構成を示すブロック図である。
【図２】図２（Ａ）〜図２（Ｃ）は、ドライブレコーダ１の外観（図２（Ａ））、メモリカード２１、２２へのデータの書き込み動作（図２（Ｂ））、およびメモリカード２１、２２の記録テーブル５０（図２（Ｃ））を示す図である
【図３】図３は、書き込み回数制限を行わない場合の記録動作手順を示すフローチャートである。
【図４】図４は、書き込み回数が制限回数に達し、記録媒体を切り替えて記録する場合の記録動作手順を示すフローチャートである。
【図５】図５は、図４につづく書き込み回数が制限回数に達し、記録媒体を切り替えて記録する場合の記録動作手順を示すフローチャートである。
【図６】図６（Ａ）〜図６（Ｃ）は、メモリカード２１、２２のメモリマップを示す図である。
【発明を実施するための形態】
【００１５】
本発明の実施形態におけるデータ記録装置について図面を用いて説明する。本実施形態のデータ記録装置は、車両に搭載された車載装置であり、走行中のデータを記録可能なドライブレコーダに適用される。
【００１６】
図１は実施形態におけるデータ記録装置であるドライブレコーダ１の構成を示すブロック図である。ドライブレコーダ１は、ドライブレコーダ本体１ａ内に、ＣＰＵ１０、カードＩ／Ｆ１１、１２、ＳＤＲＡＭ１６、カメラＩ／Ｆ１３、センサＩ／Ｆ１４および速度Ｉ／Ｆ１５を有する。
【００１７】
ＣＰＵ１０は、制御プログラムが格納されたＲＯＭ、ＲＡＭ、タイマ等を内蔵し、ドライブレコーダ１全体を制御する。ＳＤＲＡＭ１６には、各種のデータの他、後述する記録テーブル５０（図２（Ｃ）参照）が記憶される。
【００１８】
また、カードＩ／Ｆ１１、１２はそれぞれトリガ記録用、常時記録用のカードＩ／Ｆである。カードＩ／Ｆ１１、１２には、ＣＦカードやＳＤカード（登録商標）等のメモリカード（記録媒体）２１、２２が挿抜自在にそれぞれ接続される。メモリカード２１は、例えば２Ｇバイトの容量を有するトリガ記録用の記録媒体（第１の記録媒体）である。また、メモリカード２２は、例えば２Ｇバイトの容量を有する常時記録用の記録媒体（第２の記録媒体）である。これらの記録媒体には、一般に、データが壊れないように、書き込みに対して、制限回数が設定されている。
【００１９】
ここで、トリガ記録とは、加速度（Ｇ値）が設定された閾値を超えて衝撃が感知された場合など、間欠的にトリガが発生する場合、前後一定時間の画像等のデータを記録することを指す。また、常時記録とは、ドライブレコーダが起動してから終了するまで画像等のデータを定期的に記録することを指す。
【００２０】
カメラＩ／Ｆ１３には、車両の前方を撮影するカメラ２３が接続される。センサＩ／Ｆ１４には、車両の加速度を検出し、車両に加わる衝撃を感知するＧセンサ２４が接続される。速度Ｉ／Ｆ１５には、車両の速度を検出する速度センサ２５が接続される。
【００２１】
なお、ドライブレコーダ１には、その他の運転データとして、位置データを受信するＧＰＳ受信部や、エンジン回転数を検出するＮＥセンサ等が接続されてもよい。
【００２２】
図２（Ａ）〜図２（Ｃ）はドライブレコーダ１の外観、メモリカード２１、２２へのデータの書き込み動作、およびメモリカード２１、２２の記録テーブル５０を示す図である。
【００２３】
図２（Ａ）に示すように、ドライブレコーダ本体１ａの前面には、２枚のメモリカード２１、２２がそれぞれ挿入される２つのカードＩ／Ｆ１１、１２が設けられている。
【００２４】
また、ドライブレコーダ１は、図２（Ｂ）に示すような動作を行う。ドライブレコーダ１は、加速度が閾値を超えて衝撃を感知するようなトリガが発生した場合、メモリカード２１に、カメラ２３で撮影された画像データの他、Ｇセンサ２４で検知された加速度、速度センサ２５で検知された速度等の運転データを記録する。一方、ドライブレコーダ１は、メモリカード２２に、定期的に、つまり起動してからタイマが一定時間を経過する毎に、上記画像データや運転データを記録する。
【００２５】
また、図２（Ｃ）に示すように、記録テーブル５０には、トリガ記録用のメモリカード２１および常時記録用のメモリカード２２に対する、現在の書き込み回数および制限回数が登録されている。ここでは、メモリカード２１、２２の制限回数は３０００回である。
【００２６】
上記構成を有するドライブレコーダ１の動作を示す。始めに、記録媒体の書き込み回数制限を行わない場合の記録動作を示す。図３は書き込み回数制限を行わない場合の記録動作手順を示すフローチャートである。この動作プログラムは、ＣＰＵ１０内のＲＯＭに格納されており、ＣＰＵ１０によって周期的に実行される。
【００２７】
まず、ＣＰＵ１０は、トリガ記録の指令があり、トリガ記録を行うか否かを判別する（ステップＳ１）。トリガ記録の指令がなく、トリガ記録を行わない場合、ＣＰＵ１０は、所定のタイミングで、常時記録用のメモリカード２２に、前述した画像データおよび運転データを記録する（ステップＳ２）。この後、ＣＰＵ１０は本動作を終了する。
【００２８】
一方、ステップＳ１で、トリガ記録の指令があり、トリガ記録を行う場合、ＣＰＵ１０は、トリガ記録用のメモリカード２１に、前述した画像データおよび運転データを記録する（ステップＳ３）。この後、ＣＰＵ１０は本動作を終了する。
【００２９】
これにより、トリガ記録用のデータと常時記録用のデータを異なるメモリカードに振り分けることができる。従って、後から、データ解析や検索等の処理が容易となる。
【００３０】
図４、図５は書き込み回数が制限回数に達し、記録媒体を切り替えて記録する場合の記録動作手順を示すフローチャートである。この動作プログラムは、ＣＰＵ１０内のＲＯＭに格納されており、周期的にＣＰＵ１０によって実行される。
【００３１】
まず、ＣＰＵ１０は、常時記録の書き込みタイミングであるか否かを判別する（ステップＳ１１）。常時記録の書き込みタイミングでない場合、ＣＰＵ１０はステップＳ１６の処理に進む。一方、常時記録の書き込みタイミングである場合、ＣＰＵ１０は、記録テーブル５０を参照し、常時記録用のメモリカード２２の書き込み回数を読み出す（ステップＳ１２）。そして、ＣＰＵ１０は、この書き込み回数がメモリカード２２の制限回数以内であるか否かを判別する（ステップＳ１３）。このステップＳ１３の処理は制限回数判定部に相当する。
【００３２】
制限回数を超える場合、ＣＰＵ１０はステップＳ２１の処理に進む。一方、制限回数以内である場合、ＣＰＵ１０は、常時記録用のメモリカード２２に、前述した画像データおよび運転データを記録する（ステップＳ１４）。このステップＳ１４の処理は第２書込部に相当する。さらに、ＣＰＵ１０は、記録テーブル５０に登録されているメモリカード２２の書き込み回数を値１増加させる（ステップＳ１５）。
【００３３】
この後、あるいは、前述したステップＳ１１で常時記録の書き込みタイミングでない場合、ＣＰＵ１０は、Ｇセンサ２４によって検知された加速度が閾値を超えて衝撃を感知したこと等によるトリガが発生したか否かを判別する（ステップＳ１６）。トリガが発生していない場合、ＣＰＵ１０は本動作を終了する。
【００３４】
一方、トリガが発生した場合、ＣＰＵ１０は、記録テーブル５０を参照し、トリガ記録用のメモリカード２１の書き込み回数を読み出す（ステップＳ１７）。そして、ＣＰＵ１０は、この書き込み回数がトリガ記録用のメモリカード２１の制限回数（第２制限回数）以内であるか否かを判別する（ステップＳ１８）。このステップＳ１８の処理は制限回数判定部に相当する。制限回数を超える場合、ＣＰＵ１０はステップＳ２５の処理に進む。
【００３５】
一方、ステップＳ１８でメモリカード２１の制限回数以内である場合、ＣＰＵ１０は、トリガ記録用のメモリカード２１に、前述した画像データおよび運転データを記録する（ステップＳ１９）。このステップＳ１９の処理は第１書込部に相当する。さらに、ＣＰＵ１０は、記録テーブル５０に登録されているメモリカード２１の書き込み回数を値１増加させる（ステップＳ２０）。この後、ＣＰＵ１０は本動作を終了する。
【００３６】
一方、ステップＳ１３で常時記録用のメモリカード２２の書き込み回数が制限回数を超える場合、ＣＰＵ１０は、記録テーブル５０を参照し、トリガ記録用のメモリカード２１の書き込み回数を読み出す（ステップＳ２１）。そして、ＣＰＵ１０は、この書き込み回数がメモリカード２１の制限回数以内であるか否かを判別する（ステップＳ２２）。制限回数を超える場合、ＣＰＵ１０は、記録動作を停止する（ステップＳ２９）。このように、記録動作（書き込み動作）を停止させることで、メモリカード内のデータが壊れることを防止できる。この後、ＣＰＵ１０は本動作を終了する。
【００３７】
一方、ステップＳ２２で制限回数以内である場合、ＣＰＵ１０は、トリガ記録用のメモリカード２１に、前述した画像データおよび運転データを記録する（ステップＳ２３）。このステップＳ２３の処理では、常時記録用のデータをトリガ記録用のメモリカード２１に記録する動作が行われる。なお、ステップＳ１３の判別結果、ＮＯで行われるステップＳ２３の処理は、データの書き込み対象を切り替える切替部に相当する。
【００３８】
そして、ＣＰＵ１０は、記録テーブル５０に登録されているメモリカード２１の書き込み回数を値１増加させる（ステップＳ２４）。この後、ＣＰＵ１０はステップＳ１６の処理に進む。
【００３９】
一方、ステップＳ１８でトリガ記録用のメモリカード２１の書き込み回数が制限回数を超える場合、ＣＰＵ１０は、記録テーブル５０を参照し、常時記録用のメモリカード２２の書き込み回数を読み出す（ステップＳ２５）。そして、ＣＰＵ１０は、この書き込み回数がメモリカード２２の制限回数以内であるか否かを判別する（ステップＳ２６）。
【００４０】
制限回数を超える場合、ＣＰＵ１０は、ステップＳ２９で記録動作を停止し、本動作を終了する。一方、ステップＳ２６で制限回数以内である場合、ＣＰＵ１０は、常時記録用のメモリカード２２に、前述した画像データおよび運転データを記録する（ステップＳ２７）。このステップＳ２７の処理では、トリガ記録用のデータを常時記録用のメモリカード２２に記録する動作が行われる。なお、ステップＳ１８の判別結果、ＮＯで行われるステップＳ２７の処理は、データの書き込み対象を切り替える切替部に相当する。そして、ＣＰＵ１０は、記録テーブル５０に登録されているメモリカード２２の書き込み回数を値１増加させる（ステップＳ２８）。この後、ＣＰＵ１０は本動作を終了する。
【００４１】
図６（Ａ）〜図６（Ｃ）はメモリカード２１、２２のメモリマップを示す図である。図６（Ａ）に示すように、トリガ記録用のメモリカード２１のメモリアドレスの先頭から降順にトリガ記録用データが書き込まれている状態において、ステップＳ２３の処理が行われると、常時記録用データはメモリアドレスの末尾から昇順に書き込まれる。
【００４２】
同様に、図６（Ｂ）に示すように、常時記録用のメモリカード２２のメモリアドレスの先頭から降順に常時記録用データが書き込まれている状態において、ステップＳ２７の処理が行われると、トリガ記録用データはメモリアドレスの末尾から昇順に書き込まれる。このように、トリガ記録用データ（または常時記録用データ）が書き込まれる記憶領域と区別して常時記録用データ（またはトリガ記録用データ）が書き込まれる。これにより、それぞれのデータを振り分けることができる。この結果、後からデータの解析・検索などの処理が容易となる。
【００４３】
本実施形態のドライブレコーダ１によれば、２つのメモリカード２１、２２に、トリガ記録と常時記録といった書き込み頻度の異なるデータを記録する際、各メモリカード２１、２２の制限回数上限まで書き込むことができる。従って、２つのメモリカード２１、２２のいずれもが制限回数に達するまで、効率的に記録時間を延ばすことができる。
【００４４】
なお、本発明は、上記実施形態の構成に限られるものではなく、本実施形態の構成が持つ機能を達成できる構成であればどのようなものであっても適用可能である。
【００４５】
例えば、上記実施形態では、ドライブレコーダは、複数の記録媒体としてトリガ記録用の記録媒体と常時記録用の記録媒体がそれぞれ挿抜自在な２つのカードＩ／Ｆを有していたが、３つ以上の記録媒体がそれぞれ挿抜自在な３つ以上のカードＩ／Ｆを有してもよい。例えば、３つのカードＩ／Ｆを有する場合、トリガ記録用、常時記録用の他、バックアップ用の記録媒体が接続されてもよい。
【００４６】
また、２つの記録媒体に対する書き込みの制限回数が同じであってもよいし、異なってもよい。異なる場合、常時記録用の記録媒体の制限回数は、トリガ記録用の記録媒体に比べて、大きな値であることが望ましい。また、トリガ記録用、常時記録用の記録媒体は異なる種類の記録媒体であってもよく、例えば、一方が半導体素子を用いたメモリカードであり、他方が磁気ディスクを用いたメモリカードであってもよい。また、ハードディスクドライブ（ＨＤＤ）やソリッドステートドライブ（ＳＳＤ）を用いることも可能である。
【００４７】
また、上記実施形態では、記録媒体の書き込み回数は、ＳＤＲＡＭ内の記録テーブルに記憶されることで管理していたが、記録媒体（メモリカード）の所定の領域に書き込まれることで管理してもよい。この場合、記録媒体に書き込み回数が記憶されているので、ドライブレコーダが固定されることなく、取扱いが便利である。さらには、ドライブレコーダは、このような記録媒体が挿入された時に書き込み回数を読み出してＳＤＲＡＭ内の記録テーブルに記憶し、この記録媒体が抜かれる前に書き込み回数を書き戻すようにしてもよい。
【００４８】
また、上記実施形態では、一方のメモリカードが制限回数に達した場合、他方のメモリカードの全てのデータ記憶領域を、トリガ記録と常時記録で共有するようにしていたが、図６（Ｃ）に示すようにしてもよい。つまり、トリガ記録用のメモリカード２１では、トリガ記録専用に一定の領域を確保して区別しておき、残りのデータ記憶領域をトリガ・常時記録の共有領域としてもよい。これにより、トリガ記録データを確実に記録することができる。このことは、常時記録用メモリカードにおいても同様である。
【００４９】
また、上記実施形態では、制限回数として、記憶媒体の保証値である物理的な制限回数に達した場合、メモリカードの切り替えが行われたが、この物理的な制限回数に達する前の所定回数を制限回数に設定してもよい。この所定回数に設定された制限回数に達した時点で切り替えを行うことで、よりデータの安全性が担保される。
【００５０】
また、一方のメモリカードの書き込み回数が制限回数に達し、他方のメモリカードに切り替える際、他方のメモリカードの書き込み回数が所定値未満である場合に限って、切り替え可能であるようにしてもよい。これにより、他方のメモリカードが所定値以上であって、残りの書き込み回数が少ない場合、いたずらに、一方のメモリカードに記録すべきデータが他方のメモリカードに分散してしまうことを避けることができる。
【００５１】
また、上記実施形態では、トリガ記録は、Ｇセンサによって検知された加速度が閾値を超えて衝撃が感知された場合に行われたが、その他の要因によって行われてもよい。例えば、ＧＰＳによる位置情報を受信している場合に走行ルートから外れること等をトリガとして記録が行われるようにしてもよい。
【００５２】
以上、本発明は、２つ以上の記録媒体に、書き込み頻度の異なるデータを記録する際、各記録媒体の制限回数上限まで書き込むことができ、効率的に記録時間を延ばせ、有用である。
【符号の説明】
【００５３】
１  ドライブレコーダ
１ａ  ドライブレコーダ本体
１０  ＣＰＵ
１１、１２  カードＩ／Ｆ
１３、１４、１５  インタフェース（Ｉ／Ｆ）
１６  ＳＤＲＡＭ
２１、２２  メモリカード
２３  カメラ
２４  Ｇセンサ
２５  速度センサ
５０  記録テーブル
【図１】
0006006943.tif 000002
【図２】
0006006943.tif 000003
【図３】
0006006943.tif 000004
【図４】
0006006943.tif 000005
【図５】
0006006943.tif 000006
【図６】
0006006943.tif 000007